(57)【特許請求の範囲】
【請求項１】
液透過性の表面シート、液不透過性の裏面シート、及び前記表面シートと前記裏面シートとの間に配置される吸収体を有する吸収性物品と、
該吸収性物品を複数収容する包装袋部と、を備える吸収性物品の包装体であって、
前記吸収性物品には、該吸収性物品の吸収性能に対応付けられた第１の表示要素を有する性能表示部が形成されており、
前記第１の表示要素は、絵柄及び／又は記号であって、該第１の表示要素の内容及び数によって該吸収性物品の吸収性能を示すように構成されており、
前記包装袋部の外面には、前記性能表示部に対応付けられた包装性能表示部又は前記包装袋部の外側から前記性能表示部を視認するための窓部が形成されており、
前記吸収性物品は包装シートによって個別に収容されており、
前記包装シートは該包装シートを閉じる粘着テープを有しており、
前記粘着テープには、前記吸収性物品の吸収性能に対応付けられた第２の表示要素が付されている、吸収性物品の包装体。
【請求項２】
前記性能表示部は、前記表面シート又は前記裏面シートのうち少なくともいずれか一方に設けられ、かつ前記包装シートを介して該包装シートの外側から透視可能である、請求項１に記載の吸収性物品の包装体。
【請求項３】
前記性能表示部は、前記包装シートに設けられている、請求項１に記載の吸収性物品の包装体。
【請求項４】
前記包装シートは、前記吸収性物品を収容した状態における平面形状が略矩形であり、
前記第１の表示要素は、前記吸収性物品の長手方向に沿う前記包装シートの外周縁に沿って少なくとも一列に配置されており、該第１の表示要素の配列数によって、前記吸収性物品の吸収性能を示す、請求項３に記載の吸収性物品の包装体。
【請求項５】
前記吸収性物品は、第１吸収性能を有する第１吸収性物品と、該第１吸収性能と異なる第２吸収性能を有する第２吸収性物品と、を備え、
前記第１吸収性物品は、前記第１吸収性能を示す第１性能表示部を有しており、
前記第２吸収性物品は、前記第２吸収性能を示す第２性能表示部を有する、請求項１から請求項４のいずれかに記載の吸収性物品の包装体。
【請求項６】
前記第１吸収性物品は、該第２吸収性物品よりも長手方向の長さが長く構成されており、
前記第１の表示要素の数は、前記長手方向の長さに応じており、前記第１吸収性物品よりも前記第２吸収性物品の方が多い、請求項５に記載の吸収性物品の包装体。
【請求項７】
前記表面シートは、着用者の体液排出部と当接するように構成され、
前記体液排出部と当接する領域に対する長手方向後方の長さは、前記第１吸収性物品よりも前記第２吸収性物品の方が長く構成されており、
前記第１の表示要素の数は、前記体液排出部と当接する領域に対する長手方向後方の長さに応じている、請求項５又は請求項６に記載の吸収性物品の包装体。
【発明の詳細な説明】
【技術分野】
【０００１】
本発明は、吸収性物品と、この吸収性物品を収容する包装袋部と、を備える吸収性物品の包装体に関する。
【背景技術】
【０００２】
特許文献１には、吸収性構造が異なる２種類の吸収性物品を収容したケースが記載されている。２種類の吸収性物品のうち一方の吸収性物品の外面には、星形の目印が付されており、他方の吸収性物品の外面には、目印が付されていない。着用者は、目印の有無によって２種類の吸収性物品を区別する。また、別の吸収性物品の外面には、吸収性物品の特徴を示す文字が付されている。
【先行技術文献】
【特許文献】
【０００３】
【特許文献１】特開２００８−５１４３４９号公報（図２Ａ、段落００２７、及び段落００２８等）。
【発明の概要】
【発明が解決しようとする課題】
【０００４】
ところで、着用者によっては、複数種類の吸収性物品を常備しておき、使用時に吸収性物品を選択して使用することがある。上述の吸収性物品によれば、着用者は、目印の違いによって２種類の吸収性物品を区別することができ、また文字によって吸収性物品の特徴を把握して、吸収性物品を選択することができる。しかし、着用者は、吸収性物品の特徴を文字によって認識するため、その特徴を直感的に把握して選択し難い。また、文字が読めない着用者は、吸収性物品の特徴を把握することが困難であり、例えば吸収性能の違いを認識して吸収性物品を選択することができないおそれがある。
【０００５】
そこで、本発明は、上述の課題に鑑みてなされたものであり、着用者が吸収性物品の吸収性能を直感的に把握して、吸収性物品を選択することができる吸収性物品の包装体を提供することを目的とする。
【課題を解決するための手段】
【０００６】
上述した課題を解決するため、本発明の例示的側面としての吸収性物品の包装体は、次のような特徴を有する。吸収性物品の包装体（包装体Ｐ）は、液透過性の表面シート（表面シート１０）、液不透過性の裏面シート（裏面シート２０）、及び前記表面シートと前記裏面シートとの間に配置される吸収体（吸収体３０）を有する吸収性物品（吸収性物品１）と、該吸収性物品を複数収容する包装袋部（包装袋部１００）と、を備える。吸収性物品には、該吸収性物品の吸収性能に対応付けられた表示要素（花柄部６０、星柄部６１、ハート柄部６２、月柄部６３、太陽柄部６４）を有する性能表示部（性能表示部５１等）が形成されており、表示要素は、絵柄及び／又は記号であって、該表示要素の内容及び数によって該吸収性物品の吸収性能を示すように構成されており、包装袋部の外面（外面１０５）には、前記性能表示部に対応付けられた包装性能表示部（包装性能表示部１１０）又は前記包装袋部の外側から前記性能表示部を視認するための窓部（窓部１０６）が形成されている。
【発明の効果】
【０００７】
本発明によれば、着用者は、包装袋部の外側から性能表示部を視認することによって吸収性能を把握することができる。また、表示要素は、絵柄及び／又は記号によって構成され、かつその内容及び数によって吸収性能を表示する。したがって、着用者は、文字等で吸収性能を表示する場合と比べて直感的に吸収性能を把握して、吸収性物品を選択することができる。
【図面の簡単な説明】
【０００８】
【図１】本発明の第１の実施形態に係る第１吸収性物品の包装体の模式斜視図である。
【図２】本発明の第１の実施形態に係る第２吸収性物品の包装体の模式斜視図である。
【図３】本発明の第１の実施形態に係る第１吸収性物品の肌当接面側から見た平面図である。
【図４】本発明の第１の実施形態に係る第１吸収性物品の背面図である。
【図５】本発明の第１の実施形態に係る第１吸収性物品を折り畳んで包装シートによって覆う様子を説明する模式図である。
【図６】本発明の第２の実施形態に係る吸収性物品の包装体の模式斜視図である。
【図７】本発明の第２の実施形態に係る第５吸収性物品を示した図である。
【図８】第３の実施形態に係る吸収性物品を折り畳んで包装シートに収納した状態の平面図である。
【図９】第３の実施形態に係る第６吸収性物品の背面図である。
【発明を実施するための形態】
【０００９】
（第１の実施形態）
図面を参照して、本発明の第１の実施形態に係る吸収性物品の包装体について説明する。吸収性物品の包装体Ｐは、図１及び図２に示すように吸収性物品１と、この吸収性物品１を収容する包装袋部１００と、を有する。本実施形態に係る吸収性物品１は、例えば、生理用ナプキンである。吸収性物品１は、吸収性能が異なる第１吸収性物品１Ａ及び第２吸収性物品１Ｂを有する。具体的には、第１吸収性物品１Ａは、昼用の生理用ナプキンであり、第２吸収性物品１Ｂは、夜用の生理用ナプキンである。したがって、第２吸収性物品１Ｂは、第１吸収性物品１Ａよりも長手方向の長さが大きく、吸収性能が高くなるように（多くの経血を吸収可能に）構成されている。なお、以下の説明において、第１吸収性物品と第２吸収性物品とで共通の構成は、同符号を用いて説明を省略する。
【００１０】
まず、図１及び図２に基づいて包装袋部１００について詳細に説明する。図１は、第１吸収性物品１Ａの包装体Ｐの模式斜視図であり、図２は、第２吸収性物品１Ｂの包装体Ｐの模式斜視図である。複数の吸収性物品１を収容する包装袋部１００は、第１吸収性物品１Ａを収容する第１包装袋部１００Ａと、第２吸収性物品１Ｂを収容する第２包装袋部１００Ｂと、を有する。包装袋部１００は、複数の吸収性物品１を収容する袋形状である。包装袋部１００の内部には、上下方向に重ねされて複数の吸収性物品１が収容される。包装袋部１００の上部には、開口部１０１が設けられており、着用者は、開口部１０１を介して吸収性物品１を出し入れすることができる。なお、包装袋部１００の開口部１０１は、吸収性物品１を出し入れ可能に構成されていればよく、開口部１０１の位置や形状は、図１及び図２に示す例に限定されない。
【００１１】
各包装袋部１００の外面１０５には、包装性能表示部１１０,１１１が設けられている。包装性能表示部１１０,１１１は、後述する吸収性物品１の性能表示部に対応付けられている。第１包装袋部１００Ａの包装性能表示部１１０は、表示要素としての花柄部６０を有する。第２包装袋部１００Ｂの包装性能表示部１１１は、表示要素としての星柄部６１を有する。着用者は、包装袋部の外部から花柄部６０又は星柄部６１を視認して、内部に収容されている吸収性物品１の吸収性能を把握することができる。したがって、着用者は、吸収性物品の選択時に包装袋部１００の外側から吸収性物品の性能を把握して選択することができる。
【００１２】
次いで、図１〜図５に基づいて、吸収性物品１について詳細に説明する。図３は、第１吸収性物品１Ａの肌当接面側から見た平面図であり、図４は、第１吸収性物品１Ａの背面図である。図５は、第１吸収性物品１Ａを折り畳んで包装シート７０によって覆う様子を説明する模式図である。
【００１３】
吸収性物品１は、着用者の肌に当接する表面シート１０と、液体を透過しない液不透過性の裏面シート２０と、吸収体３０とを有する。吸収体３０は、表面シート１０と裏面シート２０との間に配設される。従って、吸収体３０は、図３において破線で示される。吸収体３０は、吸収性物品１の長手方向Ｌ及び幅方向Ｗにおける中央部分に配設される。また、吸収性物品１は、吸収性物品１の長手方向Ｌに直交する吸収体３０の幅方向Ｗ外側に設けられるサイドシート４１，４２、ウイング部４３,４４を備える。
【００１４】
表面シート１０は、体液等の液体を透過する液透過性のシートである。表面シート１０は、少なくとも吸収体３０の表面を覆う。表面シート１０は、着用者の膣口（体液排出口）に対応する当接領域Ｓ１を有する。表面シート１０は、吸収性物品の長手方向Ｌにおいて当接領域Ｓ１の前方に位置する前方領域Ｓ２と、当接領域Ｓ１の後方に位置する後方領域Ｓ３と、を有する。
【００１５】
表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１６】
裏面シート２０は、裏面シート２０の長さと略同一の長さを有する。裏面シート２０は、ポリエチレン、ポリプロピレン等を主体としたフィルム、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。
【００１７】
吸収体３０は、親水性繊維、パルプを含む。サイドシート４１，４２は、表面シート１０と同様の材料から選ぶことができる。但し、サイドシート４１，４２を乗り越えて吸収性物品１外方へ経血が流れることを防止するためには、疎水性又は撥水性を有することが好ましい。
【００１８】
サイドシート４１，４２は、表面シート１０の両側に配設される。サイドシート４１，４２は、吸収体３０の側縁の一部及びウイング部４３，４４を覆う。吸収性物品１では、表面シート１０、サイドシート４１，４２、及び裏面シート２０の周縁が接合されて、吸収体３０が内封される。表面シート１０と裏面シート２０との接合方法としては、ヒートエンボス加工、超音波、又はホットメルト型接着剤のいずれか一つ、又は複数を組み合わせることが可能である。
【００１９】
裏面シート２０において、ショーツと接触する表面（非当接面２０ａ）には、裏面シート２０の長手方向に沿って、接着材５０がライン状に塗布される（図４参照）。接着材５０は、裏面シート２０の長手方向Ｌに沿って複数ライン状に塗布される。ウイング部４３及びウイング部４４において、ショーツと接触する表面にもまた、接着材５０が塗布される。使用前の状態では、接着材５０には粘着性を保持するための保護シート７９が接着されている。保護シート７９は、使用時に着用者によって剥離される。
【００２０】
表面シート１０には、複数の圧搾溝（圧搾部）２１、２２、２３が設けられている。圧搾溝２１、２２、２３は、図２に示すように、表面シート１０から吸収体３０までを厚さ方向に圧搾して構成されている。圧搾溝２１、２２、２３は、図１に示す吸収性物品１の平面視において、吸収体３０の長手方向Ｌ及び幅方向Ｗ内側において曲線状に設けられた圧搾溝２１と、前方領域Ｓ２と当接領域Ｓ１との間に配置された圧搾溝２２と、後方領域Ｓ３と当接領域Ｓ１との間に配置された圧搾溝２３と、を有する。
【００２１】
第１吸収性物品１Ａの後方領域Ｓ３には、表示要素としての花柄部６０を複数有する性能表示部５１が設けられている。一方、第２吸収性物品１Ｂの後方領域Ｓ３には、表示要素としての星柄部（図示せず）を有する性能表示部（図示せず）が設けられている。花柄部６０及び星柄部は、圧搾溝と同様に、表面シート１０から吸収体３０までを厚さ方向に圧搾して構成されている。なお、本実施形態では、圧搾溝２１,２２,２３と、表示要素としての花柄部６０及び星柄部とは、エンボス加工によって圧搾加工される。表示要素は、エンボス加工によって形成されているが、この構成に限られず、例えば印刷によって形成されていてもよいし、ホットメルト加工によって形成されていてもよい。
【００２２】
このように、吸収性物品の吸収性能に対応付けられた表示要素を有する性能表示部を吸収性物品１に設けることにより、着用者は、性能表示部５１を視認することによって吸収性能を把握することができる。また、表示要素は、絵柄及び／又は記号によって構成され、かつその内容及び数によって吸収性能を表示する。したがって、着用者は、文字等で吸収性能を表示する場合と比べて直感的に吸収性能を把握することができる。
【００２３】
具体的には、昼用の生理用ナプキンである第１吸収性物品１Ａに花柄部６０を有する性能表示部を設け、夜用の生理用ナプキンである第２吸収性物品１Ｂに星柄部を有する性能表示部を設けることにより、表示要素の内容（花及び星）から想起されるイメージを用いて、各吸収性物品１の吸収性能を着用者に伝えることができる。
【００２４】
更に例えば、昼や明るいイメージを想起する絵柄としては、花柄のみならず、太陽柄、ハート柄を用いることができる。このような絵柄の表示要素を用いることにより、昼用の生理用ナプキンであることや、軽い日用（少ない日用）の生理用ナプキンであることを着用者に伝えることができる。一方、夜のイメージを想起する絵柄しては、星柄のみならず、月柄を用いることができる。このような表示要素を用いることにより、夜用の生理用ナプキンであることや、重い日用（多い日用）の生理用ナプキンであることを着用者に伝えることができる。
【００２５】
また、表示要素の絵柄によって吸収性物品の吸収性能を示す構成によれば、文字等によって吸収性物品の特徴を着用者に伝達する構成と比較して、絵柄等による装飾効果を発揮でき、吸収性物品をかわいらしく装飾することができる。更に、着用者は、吸収性物品の選択時における指標が絵柄であるため、選択時に生理の憂鬱な気分を意識せずに、見た目で楽しんで選択することができる。
【００２６】
このように構成された吸収性物品１は、包装シート７０によって個別に包装されている。包装シート７０は、吸収性物品１の裏面シート２０側において吸収性物品１と対向する対向面７１と、吸収性物品１を収容した状態で外側に位置する非対向面７２と、を有する。
【００２７】
図５に示すように、吸収性物品１は、幅方向に沿った所定の折り位置Ｌ１、Ｌ２において、表面シート１０を内側にして折り畳まれる。吸収性物品が折り畳まれた状態で、包装シートの長手方向における一方の端部が包装シートに貼着される。包装シート７０の端部は、粘着テープ７５（図１及び図２参照）によって包装シート７０の一部と貼着される。
【００２８】
包装シート７０の非対向面７２には、性能表示部５５，５６（図１及び図２参照）が付されている。第１吸収性物品１Ａの性能表示部５５は、表面シート１０の性能表示部５１と同じ柄の花柄部６０を有する。このように、包装シート７０の非対向面７２に花柄部６０を有する性能表示部５５を設けることにより、吸収性物品１を包装シートに包んだ状態で、吸収性物品１の吸収性能を着用者に伝えることができる。
【００２９】
例えば、包装袋部１００から取り出した状態で吸収性物品１を保管したり、包装袋部１００から取り出した状態で吸収性物品１を持ち運んだりする場合であっても、着用者は、吸収性物品１が包装シート７０に包まれた状態で、包装シート７０の表示要素を見て、昼用の吸収性物品であるか等の吸収性物品１の吸収性能を把握して選択することができる。また、文字等で表す場合と比較して、一見して生理用ナプキンであるとわかなないため、中身を認識されたくない場合において好適である。
【００３０】
更に、本実施形態では、吸収性物品１の表面シート１０にも性能表示部５１を設けているため、着用者は、使用時に表示要素を視認することにより吸収性能を把握して使用時の安心感を得ることができる。なお、本実施形態では、吸収性物品１の表面シート１０と包装シート７０の両方に性能表示部を設けているが、この構成に限定されない。具体的には、本発明に係る吸収性物品１は、少なくとも外側から性能表示部を視認できるように構成されていればよく、包装シート７０のみに設けられていてもよい。また、外側から性能表示部を視認可能な構成としては、包装シート７０に性能表示部を設ける構成に限られず、例えば吸収性物品１の裏面シート２０に性能表示部を設けて、包装シート７０を介して外部から視認できるように構成してもよい。なお、この構成においては、包装シートを、透明又は半透明な材質等、可視光を透過可能な材質によって構成する。
【Ｏ０３２】
【００３１】
また、本実施形態では、包装シート７０の非対向面７２に性能表示部５５を設けているが、粘着テープ７５に性能表示部を設けてもよい。粘着テープ７５に性能表示部を設けることによっても、着用者は、吸収性物品１の外側から吸収性能を把握することができる。
【００３２】
なお、性能表示部と包装性能表示部は、対応付けられていればよく、同一の形状であってもよいし、一部異なる形状であってもよい。具体的には、着用者が、同じ絵柄であると認識できればよく、例えば大きさが異なっていてもよい。
【００３３】
（第２の実施形態）
次いで、第２の実施形態に係る吸収性物品の包装体について、図５を参照して詳細に説明する。なお、第２の実施形態の説明においては、第１の実施形態と異なる構成について説明し、同様の構成については同符号を用いて説明を省略する。
【００３４】
図６は、第２の実施形態に係る吸収性物品の包装体の模式斜視図である。（ａ）は第３吸収性物品１Ｃの包装体、（ｂ）は第４吸収性物品１Ｄの包装体、（ｃ）は第５吸収性物品１Ｅの包装体の模式斜視図を示している。第３吸収性物品１Ｃは、第３包装袋部１００Ｃに収容されており、第４吸収性物品１Ｄは、第４包装袋部１００Ｄに収容されており、第５吸収性物品１Ｅは、第５包装袋部１００Ｅに収容されている。各包装体の包装袋部１００には、包装性能表示部が設けられてなく、吸収性物品１の性能表示部を視認するための窓部１０６が設けられている。このように構成された包装体によっても、着用者は、包装袋部１００の窓部を介して吸収性物品の性能表示部を視認して、内部に収容されている吸収性物品１の吸収性能を把握することができる。したがって、着用者は、吸収性物品の性能を把握して、吸収性物品を選択することができる。
【００３５】
なお、窓部１０６は、包装袋部１００の外部からこの窓部を介して内部を見えるように構成されていればよく、透明又は半透明な材質等、可視光を透過可能な材質によって構成される。更に、本実施形態では、包装袋部１００に、窓部又は包装性能表示部のいずれか一方を設けているが、窓部と包装性能表示部の両方を設けてもよい。
【００３６】
各吸収性物品には、表示要素である星柄部６１を有する性能表示部がそれぞれ設けられている。図７は、第５吸収性物品１Ｅを示した図である。（ａ）は、第５吸収性物品１Ｅを折り畳んで包装シート７０に収納した状態の平面図であり、（ｂ）は、第５吸収性物品１Ｅを折り畳む前の状態の包装シート７０の平面図である。各包装シートには、長手方向Ｌに沿う包装シート７０の外周縁に沿って複数の表示要素としての星柄部６１が配列されている。第３吸収性物品１Ｃの第３性能表示部５２は、包装シートの外周縁に沿って星柄部６１が１列に配列されている。第４吸収性物品１Ｄの第４性能表示部５３は、包装シート７０の外周縁に沿って星柄部６１が２列に配列されている。第５吸収性物品１Ｅの第５性能表示部５４は、包装シート７０の外周縁に沿って星柄部６１が３列に配列されている。
【００３７】
このように表示要素である星柄部６１を配列することにより、表示要素の列数によって吸収性能を示すことができる。また、包装シート７０の長手方向に沿って列状に表示要素を配列することにより、吸収性物品１を折り畳んだ際に、吸収性物品の正面のみならず厚さ方向においても表示要素を配置することができ、様々な角度に対して表示要素を示すことができる。また、製造工程において、吸収性物品１を長手方向に沿って搬送する場合には、表示要素をこのような配置にすると、吸収性物品１の製造上、有効性が高い。
【００３８】
また、例えば、表示要素の数を吸収性物品の長手方向における長さに対応付けて、長さが長い吸収性物品ほど表示要素の数を多くすることにより、着用者は、表示要素の数によって吸収性物品の長さを直感的に把握して、安心感を得ることができる。特に、表示要素の数を、吸収性物品の後方領域の長手方向における長さに対応付けて、長さが長い吸収性物品ほど表示要素の数を多くすることにより、着用者は、表示要素によって安心感を得ることができる。
【００３９】
具体的には、着用者は、睡眠時等、夜長時間使用する生理用ナプキンは、睡眠中の液漏れや長時間にわたる吸収力等を考慮するため、後方領域の長さが十分な長いことを把握すると安心感を得ることができる。表示要素の数によって、吸収性能（夜用の生理用ナプキンであることや後方領域における吸収量が多いこと）を伝えることができる。
【００４０】
（第３の実施形態）
次いで、第３の実施形態に係る吸収性物品の包装体について、図８を参照して詳細に説明する。図８は、吸収性物品を折り畳んで包装シート７０に収納した状態の平面図である。（ａ）〜（ｃ）は、第６吸収性物品から第８吸収性物品を示しており、それぞれ吸収性物品の裏面側に表示要素が付されている。例えば、第６吸収性物品１Ｆは、吸収性物品の裏面側の保護シート７９に表示要素としてのハート柄部６２が設けられている。包装シート７０は、可視光が透過可能な材質によって形成されており、包装シート７０を介して裏面シート２０に付された表示要素を視認できる。（ａ）に示す第６吸収性物品１Ｆの表示要素は、ハート柄部６２であり、（ｂ）に示す第７吸収性物品１Ｇの表示要素は、月柄部６３であり、（ｃ）に示す第８吸収性物品１Ｈの表示要素は、太陽柄部６４である。なお、図９に示す例では、吸収性物品の保護シート７９に表示図柄を配置しているが、例えば、裏面シート２０に設けてもよい。
【００４１】
図８（ｄ）〜（ｆ）は、第９吸収性物品から第１１吸収性物品を示しており、それぞれ吸収性物品の包装シート７０の粘着テープ７５に表示要素が付されている。（ａ）に示す第９吸収性物品１Ｊの表示要素は、ハート柄部６２であり、（ｂ）に示す第１０吸収性物品１Ｋの表示要素は、月柄部６３であり、（ｃ）に示す第１１吸収性物品１Ｍの表示要素は、太陽柄部６４である。
【００４２】
また、本実施形態では、異なる吸収性能を有する吸収性物品に、異なる性能表示部を設けているが、例えば、同じ吸収性能を有する吸収性物品に異なる性能表示部を設けてもよい。例えば、同じ特徴を有する吸収性物品を１種類の性能表示部のみならず、複数種類の性能表示部を有するように構成することにより、同じ昼用の吸収性物品のバリエーションが増え、着用者は、選択時及び使用時において楽しむことができる。
【００４３】
なお、表示要素は、記号であってもよい。例えば、数字であってもよいし、矢印や音符記号によって構成してもよい。
【００４４】
また、本発明の実施形態では、包装シートに１個の吸収性物品を収容しているが、包装シートに２個以上の吸収性物品を収容するように構成してもよい。
【００４５】
また、本発明の吸収性物品は、生理用ナプキン以外に、パンティライナー（おりものシート）、失禁パッド等であってもよい。
【００４６】
このように、本発明は、ここでは記載していない様々な実施形態などを含むことは勿論である。したがって、本発明の技術的範囲は、上述の説明から妥当な特許請求の範囲に係る発明特定事項によってのみ定められるものである。
【符号の説明】
【００４７】
１…吸収性物品、  １０…表面シート、  ２０…裏面シート、  ３０・・・吸収体、  ２１,２２,２３…圧搾部、  ３０…吸収体、  ４１,４２…サイドシード、  ４３,４４…ウイング部、  ５１,５２,５３,５４，５５,５６…性能表示部、  ６０…花柄部（表示要素）、  ６１…星柄部（表示要素）、６２…ハート柄部（表示要素）、  ６３…月柄部（表示要素）、  ６４…太陽柄部（表示要素）、  ７０…包装シート、  ７１…対向面、  ７２…非対向面、  ７５…封止シール、  １００…包装体、  １０１…開口部、  １０５…外面、  １０６…窓部、  １１０,１１１…包装性能表示部
【図１】
0005711944.tif 000002
【図２】
0005711944.tif 000003
【図３】
0005711944.tif 000004
【図４】
0005711944.tif 000005
【図５】
0005711944.tif 000006
【図６】
0005711944.tif 000007
【図７】
0005711944.tif 000008
【図８】
0005711944.tif 000009
【図９】
0005711944.tif 000010